(57)【特許請求の範囲】
【請求項１】
建築物に設けられた排水口に接続されている直管、曲がり管、横管等の配管の内壁にライナー層を形成するようにした排水口の補修用ライニング装置において、ライニングチューブの内部にライニング剤を含浸した筒状のライニングクロスを挿入してなるライニングクロスチューブを形成し、該ライニングクロスチューブの上部に絞り部を形成してワイヤを接続し、該ワイヤをライニング反転器の上部を閉塞した栓部材の挿通孔に挿通してワイヤを引き上げることにより、ライニング反転器の内部にライニングクロスチューブを挿入し、ライニングチューブの下端部を折り返してライニング反転器の下端部の外周に締結したことを特徴とする排水管の補修装置。
【請求項２】
ライニングチューブの内部にライニング剤を含浸した筒状のライニングクロスを挿入してなるライニングクロスチューブを形成する際、ライニングチューブの上部の絞り部とライニングクロスの内方端部との間に空間を形成したことを特徴とする請求項１記載の排水管の補修装置。
【請求項３】
建築物に設けられた排水口に接続されている直管、曲がり管、横管等の配管の内壁にライナー層を形成するようにした排水口の補修方法において、ライニングチューブの内部にライニング剤を含浸した筒状のライニングクロスを挿入してなるライニングクロスチューブを形成し、該ライニングクロスチューブの上部に絞り部を形成してワイヤを接続し、該ワイヤをライニング反転器の上部を閉塞した栓部材の挿通孔に挿通してワイヤを引き上げることにより、ライニング反転器の内部にライニングクロスチューブを挿入し、ライニングチューブの下端部を折り返してライニング反転器の下端部の外周に締結すると共に、ライニング反転器の下端部を排水口の上端に設置した状態で、ライニングクロスの下端部を排水口の外周に被せ、ライニング反転器の内部に圧縮エアーを注入することによって、ライニングクロスチューブを反転しながら配管の内部を進入させると共に、ライニングチューブの膨張によってライニングクロスを配管の内壁に付着した後、ライニングクロスの硬化後に、ワイヤを上方に引き上げることによってライニングチューブを回収することを特徴とする排水管の補修方法。
【請求項４】
建築物に設けられた排水トラップの内壁にライナー層を形成する際に用いる排水トラップのライニング装置において、管本体の下部の外周に隙間をあけて外管が設けられると共に、管本体及び外管の内周に筒状のシリコンゴムが設けられたライニング押圧器を形成し、該ライニング押圧器のシリコンゴムの上部は管本体の上端に密閉状に締結する一方、シリコンゴムの下部は外管の下端外周に折り返して締結することによってシリコンゴムの上下部を密閉状に閉塞し、管本体と外管の隙間に圧縮エアーを注入可能とし、該ライニング押圧器のシリコンゴムの外周にライニング剤を含浸した筒状のライニングクロスを被せ、シリコンゴムの下方の余長分を押圧器の外管の内部に折り返したことを特徴とする排水管の補修装置。
【請求項５】
建築物に設けられた排水トラップの内壁にライナー層を形成する際に用いる排水管の補修方法において、管本体の下部の外周に隙間をあけて外管が設けられると共に、管本体及び外管の内周に筒状のシリコンゴムが設けられたライニング押圧器を形成し、該ライニング押圧器のシリコンゴムの上部は管本体の上端に密閉状に締結する一方、シリコンゴムの下部は外管の下端外周に折り返して締結することによってシリコンゴムの上下部を密閉状に閉塞し、管本体と外管の隙間に圧縮エアーを注入可能とし、該ライニング押圧器のシリコンゴムの外周にライニング剤を含浸した筒状のライニングクロスを被せ、シリコンゴムの下方の余長分を押圧器の外管の内部に折り返して、該ライニング押圧器を排水トラップの排水口の外周に嵌め込んだ状態で、シリコンゴム内に圧縮エアーを注入して膨張したシリコンゴムによってライニングクロスを排水トラップの内壁に付着させ、ライニング剤の硬化後にライニング押圧器を取り除くことによって排水トラップの内壁にライナー層を形成することを特徴とする排水管の補修方法。
【発明の詳細な説明】
【技術分野】
【０００１】
本発明は、老朽化等によって腐食又は損傷した排水トラップや排水口の内壁に補修用のライナー層を施すようにした排水管の補修装置及び補修方法に関する。
【背景技術】
【０００２】
近年、集合住宅等のように床スラブの下部に敷設した排水トラップや排水口が老朽化等によって腐食又は損傷した場合、排水トラップや排水口を新規に取り替えるのではなく、その排水トラップや排水口の内部にライナー層を形成することによって補修を施すことが行われている。
【０００３】
このような補修方法について特許文献１を参照すると、この文献に記載されている「排水口、排水口の生産方法および補強部材」は、硬化性樹脂を含浸させた布材を管内にライナー層として貼り付けるようにしたものである。ところが、この補修方法は、硬化性樹脂を含浸させた布材を排水口から配管内の直下に落とし込んで挿入する方法であるため、配管が排水口から垂直方向に延びた形状である場合には補修可能である。しかしながら、配管を床下や階下の天井内に敷設している場合、排水口の下方に配管の曲がり部を有するため、この曲がり部から横方向の管内へライニングを行うことは不可能である。
【０００４】
ところで、一般家庭や集合住宅等においては、浴室等の排水口から床下の横方向に曲がり管を敷設している場合が多く、この曲がり部を構成する曲がり管と排水口の下部の直管との接続部、或いは曲がり管と床下の横方向に設けた横管との接続部等が最も漏水し易い箇所であるというのが現状である。しかしながら、上記の特許文献１の補修方法では、床下の曲がり管を含めた補修を行うことは不可能であるため、その対策が求められていたところである。
【先行技術文献】
【特許文献】
【０００５】
【特許文献１】特許第３７９７９８９号公報
【発明の概要】
【発明が解決しようとする課題】
【０００６】
本発明は、上記の事情に鑑みてなされたものであり、一般家庭や集合住宅等において、浴室等の排水口から床下の横方向に配管を敷設している場合のように、排水口の直下に配管の曲がり部を有する場合であっても、老朽化等によって腐食又は損傷した排水トラップや排水口の内壁に補修用のライナー層を施すことによって補修を行うようにした排水管の補修装置及び補修方法を提供することを目的とする。
【課題を解決するための手段】
【０００７】
上記の問題を解決するために、本発明における請求項1に記載の排水管の補修装置は、建築物に設けられた排水口に接続されている直管、曲がり管、横管等の配管の内壁にライナー層を形成するようにした排水管の補修装置において、ライニングチューブの内部にライニング剤を含浸した筒状のライニングクロスを挿入してなるライニングクロスチューブを形成し、該ライニングクロスチューブの上部に絞り部を形成してワイヤを接続し、該ワイヤをライニング反転器の上部を閉塞した栓部材の挿通孔に挿通してワイヤを引き上げることにより、ライニング反転器の内部にライニングクロスチューブを挿入し、ライニングチューブの下端部を折り返してライニング反転器の下端部の外周に締結したことを特徴とする。
【０００８】
また、本発明における請求項２に記載の排水管の補修装置は、請求項1において、ライニングチューブの内部にライニング剤を含浸した筒状のライニングクロスを挿入してなるライニングクロスチューブを形成する際、ライニングチューブの上部の絞り部とライニングクロスの内方端部との間に空間を形成したことを特徴とする。
【０００９】
また、本発明における請求項３に記載の排水管の補修方法は、建築物に設けられた排水口に接続されている直管、曲がり管、横管等の配管の内壁にライナー層を形成するようにした排水管の補修方法において、ライニングチューブの内部にライニング剤を含浸した筒状のライニングクロスを挿入してなるライニングクロスチューブを形成し、該ライニングクロスチューブの上部に絞り部を形成してワイヤを接続し、該ワイヤをライニング反転器の上部を閉塞した栓部材の挿通孔に挿通してワイヤを引き上げることにより、ライニング反転器の内部にライニングクロスチューブを挿入し、ライニングチューブの下端部を折り返してライニング反転器の下端部の外周に締結すると共に、ライニング反転器の下端部を排水口の上端に設置した状態で、ライニングクロスの下端部を排水口の外周に被せ、ライニング反転器の内部に圧縮エアーを注入することによって、ライニングクロスチューブを反転しながら配管の内部を進入させると共に、ライニングチューブの膨張によってライニングクロスを配管の内壁に付着した後、ライニングクロスの硬化後に、ワイヤを上方に引き上げることによってライニングチューブを回収することを特徴とする。
【００１０】
また、本発明における請求項４に記載の排水管の補修装置は、建築物に設けられた排水トラップの内壁にライナー層を形成する際に用いる排水管の補修装置において、管本体の下部の外周に隙間をあけて外管が設けられると共に、管本体及び外管の内周に筒状のシリコンゴムが設けられたライニング押圧器を形成し、該ライニング押圧器のシリコンゴムの上部は管本体の上端に密閉状に締結する一方、シリコンゴムの下部は外管の下端外周に折り返して締結することによってシリコンゴムの上下部を密閉状に閉塞し、管本体と外管の隙間に圧縮エアーを注入可能とし、該ライニング押圧器のシリコンゴムの外周にライニング剤を含浸した筒状のライニングクロスを被せ、シリコンゴムの下方の余長分を押圧器の外管の内部に折り返したことを特徴とする。
【００１１】
さらに、本発明における請求項５に記載の排水管の補修方法は、建築物に設けられた排水トラップの内壁にライナー層を形成する際に用いる排水管の補修方法において、管本体の下部の外周に隙間をあけて外管が設けられると共に、管本体及び外管の内周に筒状のシリコンゴムが設けられたライニング押圧器を形成し、該ライニング押圧器のシリコンゴムの上部は管本体の上端に密閉状に締結する一方、シリコンゴムの下部は外管の下端外周に折り返して締結することによってシリコンゴムの上下部を密閉状に閉塞し、管本体と外管の隙間に圧縮エアーを注入可能とし、該ライニング押圧器のシリコンゴムの外周にライニング剤を含浸した筒状のライニングクロスを被せ、シリコンゴムの下方の余長分を押圧器の外管の内部に折り返して、該ライニング押圧器を排水トラップの排水口の外周に嵌め込んだ状態で、シリコンゴム内に圧縮エアーを注入して膨張したシリコンゴムによってライニングクロスを排水トラップの内壁に付着させ、ライニング剤の硬化後にライニング押圧器を取り除くことによって排水トラップの内壁にライナー層を形成することを特徴とする。
【発明の効果】
【００１２】
本発明の排水管の補修装置及び補修方法によれば、一般家庭や集合住宅等において、浴室等の排水口から床下の横方向に配管を敷設している場合のように、排水口の下部の直管、曲がり管、横管等を有する配管であっても、排水口の上方で行う作業のみによって、それらの配管の内壁にライナー層を形成することが可能である。
【００１３】
このため、特に、床下の曲がり管の前後の接続部に腐食又は損傷が生じて漏水が生じ易いという現状において、例えば、浴室のタイルやコンクリートを剥がしたりする作業を行うことなく、従来よりも短期間、且つ低コストで、上記の曲がり部を有する配管の補修が可能となる。
【００１４】
さらに、本発明の排水管の補修装置及び補修方法によれば、上記のような床下の配管のみならず、老朽化等によって腐食又は損傷した排水トラップの内壁のライニング補修を低コスト及び短期間で補修することが可能となる。
【図面の簡単な説明】
【００１５】
【図１】(a)は本発明の実施例１に使用するライニング反転器の外観図であり、(b)はライニングクロスチューブの外観図である。
【図２】（ａ）及び(ｂ)は、本発明の実施例１に使用するライニングクロスにライニング剤を含浸させている状況を示す図である。
【図３】（ａ）は本発明の実施例１において、ライニング反転器内にライニングクロスチューブを収納した状態を示す図であり、(ｂ)はライニングチューブの下端部を折り返して案内管の外周に被せた状態を示す図である。
【図４】（ａ）は本発明の実施例１において、ライニング反転器を排水口の上部に設置して、ライニングクロスの下端部を排水口の外周に被せた状態を示す図であり、(ｂ)はライニング反転器の内部に圧縮エアーを注入した状況を示す図である。
【図５】（ａ）は本発明の実施例１において、ライニングチューブの下端部を折り返してライニング反転器の案内管の外周に被せると共に、ライニングクロスの下端部を排水口の外周に被せた状態を示す部分拡大断面図であり、(ｂ)はライニング反転器の内部に圧縮エアーを注入した後にライニングクロスチューブが反転している状況を示す部分拡大断面図である。
【図６】本発明の実施例１において、直管、曲がり管、横管の内部で、ライニングクロスチューブが反転している終端位置における状況を示す部分拡大断面図である。
【図７】本発明の実施例１において、直管、曲がり管、横管の内壁にライニングクロスを付着して硬化させた後、ライニングチューブを回収している状況を示す図である。
【図８】本発明の実施例１において、直管、曲がり管、横管の内壁にライナー層を形成した状況を示す断面図である。
【図９】本発明の実施例２に使用するライニング押圧器を示す図であり、（ａ）はライニング押圧器の側面図、(ｂ)はライニング押圧器の断面図、(ｃ)はライニング押圧器のシリコンゴムを膨張させた状態を示す断面図である。
【図１０】（ａ）は本発明の実施例２に使用するライニングクロスにライニング剤を含浸させている状況を示す図であり、(ｂ)はライニング剤を含浸したライニングクロスをライニング押圧器に取り付けている状況を示す斜視図であり、(ｃ)はその取付け後の状況を示す斜視図である。
【図１１】（ａ）は本発明の実施例２に使用するライニング押圧器を排水トラップに取り付けている状況を示す断面図であり、(ｂ)はライニング押圧器のシリコンゴムを膨張した状況を示す断面図である。
【図１２】本発明の実施例１と実施例２によって、排水口の内壁と外周、排水トラップの内壁及び底部等にライナー層を形成した状況を示す断面図である。
【発明を実施するための形態】
【００１６】
以下、本発明の実施例について図面を参照しながら説明する。
【実施例１】
【００１７】
図１(ａ)に示すライニング反転器（以下、「反転器１」と云う）は、内部を透視可能な透明の合成樹脂等による長尺の管体２で形成し、その上部を栓部材３で閉塞すると共に、栓部材３の中央に貫通孔４を形成し、貫通孔４に、後述するライニングクロスチューブ５を牽引するワイヤ６を挿通した構成としている。このワイヤ６の途中にはストッパー６ａが固定され、ストッパー６ａを栓部材３の挿入口３ａに係止させることによって、管体２の内部に注入した圧縮エアーが外部へ逃げないようにし、また、ライニングクロスチューブ５の反転終端位置を決めるようにしている。
【００１８】
また、反転器１の管体２の上側部には、管体２の内部に圧縮エアーを注入するための注入口７が取り付けられ、注入口７に設けられたエアー調整レバー７ａを調整することによって、管体２内の圧力を調整し、管体２内に挿入したライニングクロスチューブ５の反転速度を調整するようにしている。
【００１９】
さらに、反転器１の管体２の下部には案内管１０が取替え可能に設けられている。この案内管１０は、図３(ｂ)に示すように、管体２内に挿入したライニングクロス８の外被であるライニングチューブ９の下端部９ｂを上方へ折り返して案内管１０の外周に被せるものである。また、この案内管１０の口径は、後述するライニング作業において、ライニングを行う排水口１１の口径と同等とするのが好ましい。このため、予め、口径の異なる複数の案内管１０を用意しておき、排水口１１の口径に応じて取り替えるようにしてもよい。
【００２０】
図１(ｂ)に示すライニングクロスチューブ５は、補修すべき排水口１１（図５（ａ）、(ｂ)参照）の内壁に沿ってライニングクロス８を付着するように、排水口１１の内径と同様の口径を有するライニングクロス８をライニングチューブ９の内部に挿入することによって構成されている。
【００２１】
上記のライニングクロス８は、筒状の布材にライニング剤を含浸させた状態でライニングチューブ９の内部に挿入する。なお、ライニング剤としては、例えば、エポキシ樹脂等の硬化性樹脂を使用すると良い。ただし、このライニング剤は、上記の材料に限定されるものではなく、他の適する材料を用いることも可能である。また、ライニングチューブ９は、圧縮エアーによって内部を膨張又は収縮することが可能な強靭なビニールチューブより形成してあり、その内部に挿入したライニングクロス８の挿入状況を外部から目視できるように透明のビニール材より形成するのが好ましい。また、ライニングチューブ９の下部は開放されているが、図１(ｂ)に示すように、上部は小径に絞った状態（絞り部９ａ）で閉塞され、その端部に牽引線材１２が固定され、この牽引線材１２の端部に接続用リング１３ｂを取り付けた構成としている。
【００２２】
上記の構成において、図１(ｂ)に示すように、ライニングクロス８はライニングチューブ９よりも短尺に形成し、ライニングクロス８をライニングチューブ９の内部に挿入した状態で、ライニングチューブ９の絞り部９ａとライニングクロス８の内方端部との間にライニングクロス８が存在しない空間９ｃを形成する一方、ライニングクロス８とライニングチューブ９の下端は略そろえた状態にする。
【００２３】
次に、上記のように構成された反転器１を用いて、図４(ａ)及び(ｂ)に示すように、浴室等の床材１４の下部に設けられた曲がり部１５を有する排水口１１を補修する方法について述べる。
【００２４】
図２(ａ)に示すように、ライニングクロス８をライニングチューブ９内に挿入した状態で、ライニングチューブ９の開口側からロート１６を使ってエポキシ樹脂等の硬化性樹脂によるライニング剤１７をライニングチューブ９内に流し込む。
【００２５】
次いで、図２(ｂ)に示すように、ライニングチューブ９の上面から含浸ローラ１８を押圧しながら均すことによって、ライニングチューブ９内のライニングクロス８にライニング剤１７を含浸させる。
【００２６】
次に、図３(ａ)に示すように、反転器１の栓部材３の挿通孔３ａに挿通してあるワイヤ６を管体２の下方の開口部から引き出し、ワイヤ６の接続用リング１３ａとライニングチューブ９の端部に設けた牽引線材１２の接続用リング１３ｂとを接続した状態で、ワイヤ６を上方へ牽引することによってライニングクロスチューブ５を反転器１内に収納する。その収納状態としては、ライニングチューブ９の下端部９ｂが反転器１の下端から露出した状態にする必要がある。
【００２７】
この状態で、図３(ｂ)に示すように、ライニングチューブ９の下端部９ｂを上方へ折り返して案内管１０の外周に被せ、折り返した部位の外周を結束バンド１９等で固定することによって、案内管１０の内部からエアーが漏れないようにする（図５（ａ）参照）。
【００２８】
次いで、図４(ａ)及び図４（ａ）の部分拡大図である図５(ａ)に示すように、上記のように案内管１０から下方に出たライニングクロス８の下端部８ａ（図３(ｂ)参照）を補修すべき排水口１１の外周に被せた状態にする。また、反転器１の下端部（案内管１０）は排水口１１の上端に当てた状態にする。
【００２９】
この状態で、図４(ｂ)に示すように、圧縮エアーＡの供給用ホース３０を注入口７に接続し、エアー調整レバー７ａを調整して注入口７より反転器１の内部に圧縮エアーＡを注入すると、その反転器１の内部に収納されたライニングクロスチューブ５が圧縮エアーＡで押圧される。このとき、ワイヤ６を上方に引く力を保持した状態で下方へ送り込むことにより、図５(ｂ)に示すように、反転器１内に充満した圧縮エアーＡがライニングクロスチューブ５の外周を均等に下方へ押圧することによって、ライニングクロスチューブ５を反転させながら下方へと進入させることが可能となる。
【００３０】
この状態で、図６に示すように、引き続き圧縮エアーＡを反転器１の内部に送り込むことによってライニングクロスチューブ５を反転させることにより、ライニングクロス８がライニングチューブ９の外周を囲繞した反転状態で排水口１１の下部の直管２０の内部を下方へ進み、曲がり管２１の内部を通過して横管２２の内部へ進入する。このとき、上記の直管２０、曲がり管２１、横管２２の内部を反転しつつ進行したライニングクロスチューブ５は、内部の圧縮エアーＡによって膨張することにより、ライニングクロス８を各配管の内壁に沿って押圧し、ライニングクロス８に含浸したライニング剤１７によってライニングクロス８を各配管の内壁へ付着させる。
【００３１】
また、図１(ａ)で説明したように、ライニングチューブ９の絞り部９ａ側の内部にライニングクロス８が存在しない空間９ｃを形成してあるため、図６に示すように、ライニングチューブ９の膨張部分によって、ライニングクロス８の全長を均等に各配管の内壁側へ押圧して付着させることが可能となる。
【００３２】
次いで、上記のように、ライニングチューブ９を膨張した状態を所定時間だけ保持することにより、ライニングクロス８の硬化を進める。その後、図７に示すように、ワイヤ６を上方へ引き上げることによって、ライニングクロス８からライニングチューブ９を剥がしながら上方へと引き込む。さらに、ライニングチューブ９が排水口１１の上方へ到った後に、反転器１を排水口１１の上部から取り外すことによって、ライニングチューブ９のみを回収することが可能となる。
【００３３】
本実施例では、このような補修方法によって、図８に示すように、上記の排水口１１の内外、曲がり管２１の内壁、及び横管２２の内壁に、ライニング剤１７が硬化したライニングクロス８によるライナー層２３を形成することが可能となる。
【実施例２】
【００３４】
実施例２に用いるライニング押圧器（以下「押圧器２４」と云う）は、図１２に示すように、排水トラップ２６の排水口１１の外周、底部、及び内壁全体にライナー層３４を形成する際に使用するものである。
【００３５】
押圧器２４の構造は、図９（ａ）〜(ｃ)に示すように、管本体２５の下部の外周に隙間２７ａをあけて外管２７が設けられ、管本体２５及び外管２７の内周に筒状のシリコンゴム２８が設けられた構成を有する。
【００３６】
また、シリコンゴム２８の上部はその短尺部２８ａを管本体２５の上端外周に折り返してベルト２９ａで密閉状に締結する。一方、シリコンゴム２８の下部は長尺部２８ｂを外管２７の下端外周に折り返してベルト２９ｂで締結することにより、シリコンゴム２８を上下のベルト２９ａ、２９ｂで密閉状に閉塞した状態としている。
【００３７】
さらに、外管２７の上側部には、外部のコントロールボックス（不図示）からのホース３０を接続して圧縮エアーを注入する注入口３１やエアー抜きコック３２及び圧力計等が設けられ、管本体２５と外管２７の隙間２７ａを介して管本体２５の内部に圧縮エアーを注入することが可能とされている。
【００３８】
なお、図９(ｃ)に示すように、上記の押圧器２４の注入口３１にホース３０を接続して、注入口３１から圧縮エアーを注入すると、このエアーの注入によってシリコンゴム２８は管本体２５の内方及び外管２７の外方にて膨張することとなる。
【００３９】
以下、上記の押圧器２４を用いて、図１２に示すように、排水口１１の外周及び排水トラップ２６の内壁にライナー層３４を形成する補修方法について説明する。
【００４０】
まず、図１０(ｂ)、(ｃ)に示すように、押圧器２４のシリコンゴム２８の外周にライニングクロス３３を被せる。このライニングクロス３３は、図１０(ａ)に示すように、ライニング剤１７を染み込ませた状態で十分に揉みほぐすことによって、ライニング剤１７をライニングクロス３３にムラがないように含浸させる必要がある。なお、ライニング剤１７としては、実施例１と同様に、エポキシ樹脂等の硬化性樹脂を使用すると良い。
【００４１】
次いで、図１０(ｂ)、(ｃ)に示すように、上記のライニング剤１７を含浸したライニングクロス３３を押圧器２４のシリコンゴム２８の外周に被せる。このとき、ライニングクロス３３の下方に余長を作り、その余長分（折込部３３ａ）を押圧器２４の外管２７の内部に折り込んでおくようにする。
【００４２】
そして、図１１(ａ)に示すように、上記のシリコンゴム２８をセットした押圧器２４の外管２７の内部を排水口１１の外周に嵌め込んだ状態にする。次いで、図１１(ｂ)に示すように、押圧器２４の注入口３１にホース３０を接続して圧縮エアーを注入すると、シリコンゴム２８は管本体２５の内方及び外管２７の外方にて膨張する。これによって、図１１(ｂ)に示すように、膨張したシリコンゴム２８は、ライニングクロス３３を排水口１１の外周及び排水トラップ２６の内壁の方向に押圧して、これらの排水口１１の外周及び排水トラップ２６の内壁や底部等にライニング剤１７が含浸したライニングクロス３３を付着させる。
【００４３】
次いで、所定時間後に、ライニングクロス３３のライニング剤１７が硬化したのを確認した後、エアー抜きコック３２を開けて、押圧器２４内の圧縮エアーを抜き、シリコンゴム２８を縮小させてから押圧器２４を取り外す。このような本実施例の補修方法によって、図１２に示すように、排水口１１の外周及び排水トラップ２６の内壁や底部等にライナー層３４を形成することが可能となる。
【産業上の利用可能性】
【００４４】
本発明の排水管の補修装置及び補修方法は、一般家庭や集合住宅等において、浴室等の排水口から床下の横方向に配管を敷設している場合のように、排水口の直下に配管の曲がり部を有する場合であっても、老朽化等によって腐食又は損傷した排水トラップや排水口の内壁に補修用のライナー層を施すことによって補修を行うようにした排水管の補修装置及び補修方法として利用可能である。
【符号の説明】
【００４５】
１  ライニング反転器（反転器）
２  管体
３  栓部材
３ａ  挿入口
４  貫通孔
５  ライニングクロスチューブ
６  ワイヤ
６ａ  ストッパー
７  注入口
７ａ  エアー調整レバー
８  ライニングクロス
８ａ  ライニングクロスの下端部
９  ライニングチューブ
９ａ  絞り部
９ｂ  ライニングチューブの下端部
９ｃ  空間
１０  案内管
１１  排水口
１２  牽引線材
１３ａ  ワイヤ側の接続用リング
１３ｂ  ライニングチューブ側の接続用リング
１４  床材
１５  曲がり部
１６  ロート
１７  ライニング剤
１８  含浸ローラ
１９  結束バンド
２０  直管
２１  曲がり管
２２  横管
２３  ライナー層
２４  ライニング押圧器（押圧器）
２５  管本体
２６  排水トラップ
２７  外管
２７ａ  隙間
２８  シリコンゴム
２８ａ  シリコンゴムの短尺部
２８ｂ  シリコンゴムの長尺部
２９ａ  上側のベルト
２９ｂ  下側のベルト
３０  ホース
３１  注入口
３２  エアー抜きコック
３３  ライニングクロス
３３ａ  ライニングクロスの折込部
３４  ライナー層
Ａ  圧縮エアー
【要約】
【課題】一般家庭や集合住宅等において、浴室等の排水口から床下の横方向に配管を敷設している場合のように、排水口の直下に配管の曲がり部を有する場合であっても、老朽化等によって腐食又は損傷した排水トラップや排水口の内壁に補修用のライナー層を施すことを可能とした排水管の補修装置及び補修方法を提供する。
【解決手段】ライニング反転器の内部にライニングクロスチューブを挿入し、ライニングチューブの下端部を折り返してライニング反転器の下端部の外周に締結すると共に、該ライニング反転器の下端部を排水口の上端に設置した状態で、ライニングクロスを排水口の外周に被せ、ライニング反転器の内部に圧縮エアーを注入することによって、ライニングクロスチューブを反転しながら配管の内部を進入さ、ライニングチューブの膨張によってライニングクロスを配管の内壁に付着する。
【選択図】図６【図１】
0005534096.tif 000002
【図２】
0005534096.tif 000003
【図３】
0005534096.tif 000004
【図４】
0005534096.tif 000005
【図５】
0005534096.tif 000006
【図６】
0005534096.tif 000007
【図７】
0005534096.tif 000008
【図８】
0005534096.tif 000009
【図９】
0005534096.tif 000010
【図１０】
0005534096.tif 000011
【図１１】
0005534096.tif 000012
【図１２】
0005534096.tif 000013